(57)【要約】  洗浄器具は、器具の使用者の手により把握されるように構成されるハンドルを含み、該ハンドルは、器具から排出される洗浄流体の流速を選択可能に制御するように手で変位可能なハンドグリップを有する。ハンドグリップは、少なくとも一つの流体継手によりハンドルに装着される圧縮可能な室を含み、該室は、洗浄流体を排出するためにハンドグリップを手動で圧搾することにより圧縮可能である。該室は、流体継手と動作協働し、付加された圧搾力の大きさおよび速度に応じる洗浄流体流れ調整制御弁構成を与えるバルブにより設けられる。該器具は、洗浄流体流れを制御するのと同じ手を用いて操作可能な吸引制御弁と一体的にハンドル内に形成される吸引路を有するアスピレーターを含んでもよく、これにより手持ち式の、手で操作される洗浄および吸引を組合わせた器具が得られる。
2013536050.tif 000002
【特許請求の範囲】
【請求項１】
手持ち式の洗浄器具であって、器具の使用者の手で把握されるハンドルを備え、前記ハンドルは、洗浄流体導管と、前記洗浄流体導管を通って前記器具から流出する洗浄流体の流れを制御するように構成された操作可能なハンドグリップとを含む、手持ち式の洗浄器具。
【請求項２】
前記操作可能なハンドグリップは、前記ハンドルを把握する使用者の手によって前記操作可能なハンドグリップに手動で付加された圧力の量に基づいて、前記洗浄流体導管を通って前記器具から流出する洗浄流体の流れの量を制御するように構成される、請求項１に記載の手持ち式の洗浄器具。
【請求項３】
前記ハンドルは、前記洗浄流体導管と流体連通する流体継手を含み、前記操作可能なハンドグリップは、前記流体継手と係合する圧縮可能な室を含み、前記流体継手と圧縮可能な室との動作協働が洗浄流体流れ調整制御弁構成を規定する、請求項２に記載の手持ち式の洗浄器具。
【請求項４】
圧縮可能な室は、前記流体継手が凭れて通常は閉じている流れ調整弁を規定し、ハンドグリップが圧搾されると外れて前記流体流れ調整弁を開く内面を有する可撓性の側壁を含む、請求項３に記載の手持ち式の洗浄器具。
【請求項５】
前記流体継手は、曲がった管を含む、請求項４に記載の手持ち式の洗浄器具。
【請求項６】
前記圧縮可能な室は、エラストマー性圧搾バルブを含む、請求項４に記載の手持ち式の洗浄器具。
【請求項７】
前記操作可能なハンドグリップは、圧縮可能な室を含み、前記ハンドルは、前記圧縮可能な室を前記洗浄流体導管と流体連通する前記ハンドルに装着する一対の流体継手を含む、請求項１に記載の手持ち式の洗浄器具。
【請求項８】
ハンドルは、前記圧縮可能な室に沿って延在するハンドレストを含み、前記ハンドレストは吸引流体導管を含む、請求項７に記載の手持ち式の洗浄器具。
【請求項９】
前記ハンドレストは、手がハンドルを把握し操作可能なハンドグリップと係合している間、手により操作可能な吸引流れ調節弁を含む、請求項８に記載の手持ち式の洗浄器具。
【請求項１０】
前記操作可能なハンドグリップは、ハンドルを把握する手により操作可能なハンドグリップに付与される圧搾圧力に応じて、前記器具からの洗浄流体流れの量を調整する洗浄流体流れ調整弁を含む、請求項７に記載の手持ち式の洗浄器具。
【請求項１１】
前記流体継手の一方と前記圧搾可能な室との動作協働は、前記洗浄流体流れ調整弁を含む、請求項１０に記載の手持ち式の洗浄器具。
【請求項１２】
前記ハンドルは、前記ハンドルを把握しながら手により操作可能な吸引流れ調節弁を含む吸引流れ導管と、前記操作可能なハンドグリップを前記ハンドルに取付ける一対の間隔が空けられたハンドグリップ装着部とを含み、前記操作可能なハンドグリップは、前記ハンドルを把握し前記操作可能なハンドグリップを圧搾している間、手の付与圧力に応じて、前記器具から排出される洗浄流体流れを調整する洗浄流れ調整弁を含む圧縮可能な室を含む、請求項１に記載の手持ち式の洗浄器具。
【請求項１３】
前記吸引流体導管は、前記ハンドルを把握しながら前記操作可能なハンドグリップが手で圧搾されるとき、圧縮可能な室が載る支持を含む、請求項１２に記載の手持ち式の洗浄器具。
【請求項１４】
前記ハンドグリップ装着部のいずれか一方は、洗浄流体導管と流体連通し、前記圧縮可能な室を前記洗浄流体導管と流体連通する前記ハンドルに結合する流体継手を含む、請求項１２に記載の手持ち式の洗浄器具。
【請求項１５】
前記ハンドルおよび操作可能なハンドグリップは、前記ハンドルを把握し前記操作可能なハンドグリップと係合する手が、複数の、フォアハンドの握り方、鉛筆の握り方およびゴルフの握り方により前記ハンドルおよびハンドグリップを握ることを可能にするように配置される、請求項１に記載の手持ち式の洗浄器具。
【請求項１６】
前記ハンドルは、前記操作可能なハンドグリップと略平行に延在するハンドレストを含む、請求項１５に記載の手持ち式の洗浄器具。
【請求項１７】
前記操作可能なハンドグリップは、圧縮可能な室を含む、請求項１６に記載の手持ち式の洗浄器具。
【請求項１８】
前記圧縮可能な室は、エラストマー性圧搾バルブを含む、請求項１７に記載の手持ち式の洗浄器具。
【請求項１９】
前記ハンドレストは、前記ハンドルを把握し前記操作可能なグリップと係合している間、手により操作可能な吸引調節弁を含む吸引導管を含む、請求項１７に記載の手持ち式の洗浄器具。
【請求項２０】
前記ハンドルは、自由端を有する細長い棒を含み、前記洗浄流体導管および吸引導管の各々は、棒の自由端に開口部を含む、請求項１９に記載の手持ち式の洗浄器具。
【請求項２１】
前記吸引導管及び前記洗浄流体導管は、略平行であり上下構成に配置される、請求項２０に記載の手持ち式の洗浄器具。
【請求項２２】
使用者の手により保持される手持ち式の洗浄器具であって、前記器具の使用者の手により把握されるハンドルを含み、前記ハンドルは、洗浄流体導管および吸引導管と、前記洗浄流体導管と流体連通する一対の流体継手と、前記ハンドルを把握する手により圧搾可能である圧縮可能な室であって、前記圧縮可能な室を取付ける前記一対の流体継手に結合される圧縮可能な室と、前記洗浄流体導管および前記吸引導管とそれぞれ流体連通する口を有する細長い棒とを含む、手持ち式の洗浄器具。
【請求項２３】
圧縮可能な室は、圧搾バルブを含み、前記ハンドルは、前記圧搾バルブを支持するハンドレストを含み、前記ハンドレストは、前記ハンドルを把握し前記圧搾バルブと係合している間、使用者の手により操作可能な吸引導管と流体連通する吸引弁を含む、請求項２２に記載の手持ち式の洗浄器具。
【請求項２４】
前記圧縮可能な室は、内面を有する可撓性の側壁を含み、前記流体継手の一方は、開放端を有し開放端弁体を含む管を含み、前記開放端弁体は、前記圧縮可能な室が圧搾されると開く通常は閉じた弁を規定する弁座を含む圧縮可能な室の側壁の内面の一部に凭れる、請求項２２に記載の手持ち式の洗浄器具。
【請求項２５】
前記吸引導管および前記洗浄流体導管は、略平行であり上下構成に配置される、請求項２２に記載の手持ち式の洗浄器具。
【請求項２６】
使用者の手により保持される手持ち式の洗浄器具であって、前記器具の使用者の手により把握されるハンドルを含み、前記ハンドルは、ハンドレストと、洗浄流体導管と流体連通する前記ハンドレストにより担持される流体継手と、前記流体継手に接続される洗浄流体貯留部を有する圧縮可能な室とを含み、前記流体継手と前記圧縮可能な室との協働が、前記圧縮可能な室が圧搾されると開き前記圧縮可能な室が緩められると閉じる洗浄流体流れ弁を規定する、手持ち式の洗浄器具。
【請求項２７】
前記流体継手は、前記圧縮可能な室の洗浄流体貯留部内へ延在し、前記弁が閉じると前記圧縮可能な室に凭れ前記圧縮可能な室が圧搾により変形されると圧縮可能な室から離れる管を含む、請求項２６に記載の手持ち式の洗浄器具。
【請求項２８】
前記管は、曲がるか角度がつけられており、前記圧縮可能な室は、前記弁が閉じると前記管の端部が凭れる可撓性の側壁で形成される、請求項２６に記載の手持ち式の洗浄器具。
【請求項２９】
前記ハンドレストは、吸引導管をさらに含む、請求項２６に記載の手持ち式の洗浄器具。
【請求項３０】
使用者の手により保持される手持ち式の洗浄器具であって、前記器具の使用者の手により把握されるハンドルを含み、前記ハンドルは、吸引流体導管を含むハンドレストと、前記洗浄流体導管と流体連通するハンドレストにより担持される流体継手と、前記流体継手に接続される洗浄流体貯留部を有する圧縮可能な室とを含み、前記流体継手と前記圧縮可能な室との協働が、前記圧縮可能な室が圧搾されると開き前記圧縮可能な室を緩めると閉じる洗浄流体流れ弁を規定する、手持ち式の洗浄器具。
【請求項３１】
前記流体継手は、前記圧縮可能な室の洗浄流体貯留部内へ延在し、前記弁が閉じると前記圧縮可能な室に凭れ、前記圧縮可能な室が圧搾により変形されると前記圧縮可能な室より外れる管を含む、請求項３０に記載の手持ち式の洗浄器具。
【発明の詳細な説明】
【技術分野】
【０００１】
本発明は、手術の際に使用できる手持ち式の、手で操作される洗浄器具に関し、より特定的には、洗浄の制御をするように構成され、洗浄を制御するのに用いるのと同じ手を用いて吸入または吸引も可能である手持ち式の構造の洗浄器具に関する。
【背景技術】
【０００２】
手術の際に創部または体腔を洗浄するための器具が当該技術において周知である。洗浄と吸引の両方を組合せようとする器具もこれまで試みられてきた。残念ながら、これらの器具は商業的成功を阻む欠点があまりにも多いため、手術の際には今日世界中で別々の洗浄器具と吸引器具とが通常用いられている。
【０００３】
手術の際に通常用いられる洗浄器具の種類の一つに「ターキーバスター（turkey
baster）」、すなわち球形のスポイトがある。この球形スポイトは、自由端にノズルを有する管が取付けられた可撓性の圧縮可能なバルブを有し、バルブを圧搾すると、皿からバルブ内に吸引された洗浄流体がノズルから排出される。残念ながら、手術の際に創部の組織または体腔を洗浄するために球形スポイトを使用することは、効率的でも能率的でもない。洗浄流体を球形スポイトに汲出すには、洗浄流体を保持する容器にノズルを入れる前に、バルブを圧搾により圧縮しなければならない。ノズルを洗浄流体の容器に入れた後、バルブを緩めてノズルを介して管およびバルブ内に洗浄流体を吸引する。使用する洗浄流体を十分に球形スポイトに充填するために、場合によってはこの工程を何回も繰り返して球形スポイトに効果的に呼び水を差しておく必要がある。球形スポイトに洗浄流体を適切に充填した後、洗浄が求められる組織の部位または体腔にノズルを向けて球形スポイトを操作しなければならない。次に、バルブを圧搾して、洗浄流体をノズルから組織上または体腔内に排出する。バルブ内に充填された洗浄流体がいったん排出されると、さらなる洗浄流体を球形スポイトに再充填するという時間のかかる全工程を行わなければならない。
【０００４】
手術の際に流体および残屑を組織や体腔内から吸入または吸引するのに通常用いられる吸入器具または吸引器具の種類の一つに、ヤンカー吸引器として知られるものがある。ヤンカー吸引器は、主として、安価で簡素で軽量で手持ち式であり使用および操作時に操作が簡単であるという理由で、広く商業的成功を収めている。ヤンカー吸引器は、吸引ラインに取付られた、ユーザが手で持つ一端と、ノズルを備えた棒を規定する他方端とを有する細長い管を備えた吸引器具であって、使用および操作時にこの器具を持った使用者が操作すると、流体および残屑がノズル内に吸引されその管内の通路を通って吸引ラインに輸送され得る吸引器具である。
【０００５】
手術の際には、外科医が何十回も洗浄及び吸入をしなければならないのが通常である。このため、外科医は片方の手で洗浄器具を持ち他方の手で吸引器具を持つか、必要に応じて交互に器具を下して交換する必要があり、いずれにせよ貴重な時間を消費する。吸引を行って流体または残屑を組織または体腔内から吸入するために吸引器具を使用し続けることは可能であるが、バルブアスピレーターからの連続的な洗浄流体の流れは到底無理である。
【発明の概要】
【発明が解決しようとする課題】
【０００６】
実質的に連続的な洗浄流れを可能とする洗浄器具が必要とされる。洗浄と吸引とを組合わせた器具も必要とされる。また、組織や体腔から器具を除去することを必要とせずに洗浄も吸引もできる、手持ち式で簡素で経済的な構造の器具も必要とされる。
【課題を解決するための手段】
【０００７】
本発明は、外科的、獣医科的、または歯科的処置であってもよい処置の際に洗浄流体を組織や体腔などの部位に送達するための手持ち式の、手で操作される洗浄器具であって、操作可能なハンドグリップを担持するハンドルを有し、該ハンドルは、この器具の使用者がハンドルおよびハンドグリップを手で把握し圧搾することによるハンドグリップの手動の変位に応じて器具からの洗浄流体の流れを調整するように構成される、洗浄器具に向けられる。好ましい実施形態において、この洗浄器具は、ハンドルを把握し洗浄流体の流れを制御するのに用いられるのと同じ使用者の手で操作されるハンドルにより一体的に形成されるアスピレーターを含む。
【０００８】
この洗浄器具は、洗浄流体導管を与え、操作可能なハンドグリップが取付けられる一対のハンドグリップ装着部を含む、実質的に剛性のハンドルを有する。好ましい実施形態において、ハンドグリップは、この器具を用いる使用者の手により圧搾されるハンドグリップの変位の大きさに応じて、器具からの洗浄流体の流れを調整する流れ調整構造である洗浄流れ弁を含む。ハンドグリップは、好ましくは滅菌食塩水である洗浄流体源と流体連通する流体継手に通じる流路により規定される洗浄流体導管と流体連通する洗浄流体貯留部を含む。好ましくは、洗浄流体貯留部は、圧縮可能な室と協働して通常は閉じている洗浄流体弁を規定する、好ましくは流体継手であるハンドグリップ装着部の一方を介してハンドルに装着される圧縮可能な室により設けられる。圧縮可能な室は、可撓性の側壁と、流体継手と係合するソケットによって規定される少なくとも一つの入口または出口とを含む。流体継手は、開放端弁体を規定する開放端を有する管を含み、弁体は、弁が閉じているとき室の洗浄流体貯留部内にある圧縮可能な室の排出端に隣接する側壁の内面に凭れる。ハンドグリップが変位されると、圧縮可能な室の側壁が変形するこにより、開放端弁体が凭れる側壁の内面により与えられる弁座が、開放端弁体から離れるように変位することで、弁を開く。ハンドグリップが緩められるか、ハンドグリップに付加された圧力が十分に低減されると、室はその初期移置に戻り、これにより弁体は圧縮可能な室の側壁に再び凭れることで、弁を閉じる。好ましい弁体の実施形態において、開放端弁体は、例えば略Ｌ字型の管などの、曲がったまたは角度のついた管で形成され、この管は、圧縮可能な室の側壁の長手方向に延在する部分に向かって略外方に延在する管開口部を有する。
【０００９】
弁が開くと、洗浄流体源から洗浄流体貯留部に連通される洗浄流体は、圧縮可能な室から洗浄流体導管を通って、ハンドルから外方に延在する棒の自由端または先端に形成される口から外に排出される。圧縮可能な室と流体継手との動作協働により形成される弁は、好ましくは、ハンドルが器具の使用者の手により把握され圧搾されてハンドグリップを変位させるとき、ハンドグリップの変位の量に応じる流れ調整制御弁である。好ましい実施形態において、器具の使用者の手は、圧縮可能な室の側壁の少なくとも一部と直接係合し、ハンドグリップが圧搾されて圧縮可能な室の側壁の少なくとも一部を変形すると、弁を開く。緩められるか、圧縮可能な室の側壁に付加される圧力が十分に低減されると、圧縮可能な室はその初期形状に戻り弁を閉じ洗浄流体流れを止める。
【００１０】
好ましい実施形態において、圧縮可能な室は、好ましくは一端がソケットと係合する入口または第１の継手と、その反対側端がソケットと係合する出口または第２流体継手とを有する、エラストマー構造の圧搾バルブであるバルブにより設けられる。この圧搾バルブは、器具の使用および操作時に圧搾されるとバルブの少なくとも一方の側がハンドレストにより支持されるように、ハンドレストに沿って延在する長手方向において流体継手に装着される。圧搾すると、バルブの側壁の少なくとも一部が変形してバルブを圧縮して弁を開き、洗浄流体をバルブから器具の外に押出す。緩めると、バルブはその初期形状に戻って弁を閉じ、洗浄流体流れを遮断する。
【００１１】
好ましい実施形態において、各ハンドグリップ装着部は、圧縮可能な室と結合される流体継手を含み、流体継手の一方は、圧縮可能な室と協働し、手がハンドルを把握し圧縮可能な室を圧搾することにより付加される圧搾圧力または力の大きさおよび／または速度に応じて、器具からの洗浄流体排出の流れの速度を変化させるように構成される洗浄流体流れ調整制御弁を形成する。そのような流れ調整弁の構成は、有利には、人の手がハンドルを把握しハンドグリップを圧搾することにより圧搾可能な室に付加される圧搾圧力の量を変化させることにより、器具からの洗浄流体排出の流速が、ほんの１、２滴から１０秒あたり６０立方センチメートル（ｃｃ）、すなわち１分あたり３６０ｃｃまで変化できるようにする。
【００１２】
また、ハンドルは、圧縮可能な室の一部が支持され得る実質的に剛性の構造の、略長手方向に延在するハンドレストを含み、ハンドレストと係合しハンドグリップを圧搾することによりハンドルを把握する手が、梃の力を得て室の一部をハンドレストの一部に対して促し室の少なくとも一部を圧縮することが可能にする。器具が吸引または吸入を行うように構成される場合、ハンドレストは、ハンドルを把握し洗浄流体流れを制御するのに用いられるのと同じ手により手で操作が可能な吸引流れを調節する吸引制御弁と流体連通する、長手方向に延在する吸引導管を含む。
【００１３】
ハンドルおよびハンドグリップは、掌がハンドレストの上に重なり、開放端弁体が凭れる位置から離れた位置において親指が可撓性の室側壁の一部と係合し、開放端弁体が凭れる位置から離れた別の位置において一本以上の指が可撓性の室の側壁の他の一部と係合するフォアハンドの握り方、掌がハンドレストの略下になるかハンドレストに沿って配置され、開放端弁体が凭れる位置から離れた位置において親指が可撓性の室側壁の一部と係合し、開放端弁体が凭れる位置から離れた別の位置において一本以上の指が可撓性の室側壁の別の部分と係合する鉛筆の握り方と、親指がハンドレストの上に重なり、掌と指の他の部分が可撓性の室側壁の外側に巻きつくゴルフの握り方とを含む、複数の握り方の構成で使用者が手で器具のハンドルを把握することを可能にするように構成される。これらの握り方の一つ以上により、ハンドルが使用者の手で把握され、洗浄流体流れの正確な制御を可能にするように圧縮可能な室が親指と人差し指または薬指とに挟まれることが可能になる。ハンドルおよびハンドグリップにより、有利には、片手で制御され、器具からの洗浄流体流れの排出を制御したり調節するだけでなく、ハンドルを把握するのと同じ手で吸引も制御する器具が得られる。
【００１４】
本発明の様々な他の特徴、利点および目的は以下の詳細な説明および図面から明らかとなるであろう。
【図面の簡単な説明】
【００１５】
【図１】本発明に従う洗浄器具の斜視図である。
【図２】変位されていない状態の該器具のハンドグリップを示す図１の器具の上面平面図である。
【図３】変位されていない状態の該器具のハンドグリップを示す図１の器具の正面立面図である。
【図４】該器具の分解斜視図である。
【図５】ハンドグリップが変位されていない状態の組立てられた器具の断面図である。
【図６】ハンドグリップが変位されていない状態において、使用者の手により把握されている該器具のハンドルを示す斜視図である。
【図７】使用者の手により把握され、ハンドグリップに圧搾圧力を付加してハンドグリップを変位させハンドグリップを変形または圧縮することにより洗浄流体が該器具から排出される、該器具の斜視図である。
【図８】ハンドグリップを圧搾する使用者の手（図示せず）による圧搾からハンドグリップが変位され液体の洗浄流体を排出することを示す該器具の上面平面図である。
【図９】ハンドグリップが使用者の手（図示せず）による圧搾から変位されることで、液体の洗浄流体が排出されることを示す該器具の正面立面図である。
【図１０】ハンドグリップが使用者の手（図示せず）による圧搾から変位されることで、液体の洗浄流体が排出されることを示す該器具の断面図である。
【図１１】洗浄流体を器具から排出するための器具の手持ち式の操作を示す、鉛筆の握り方で使用者の手で把握される該器具の側面立面図である。
【図１２】器具のアスピレーターの手持ち式の操作を示す、鉛筆の握り方で使用者の手で把握される該器具の側面立面図である。
【図１３】洗浄流体を器具から排出するための器具の手持ち式の操作を示す、ゴルフの握り方で使用者の手で把握される該器具の側面立面図である。
【図１４】器具のアスピレーターの手持ち式の操作を示す、ゴルフの握り方で使用者の手で把握される該器具の側面立面図である。
【発明を実施するための形態】
【００１６】
本発明の一つ以上の好ましい例示の実施形態を添付の図面において説明する。図面において同じ参照番号は同じ部品を表す。
【００１７】
この発明の一つ以上の実施形態を詳細に説明する前に、この発明は以下の説明に述べられ図面に例示される構造の詳細および構成要件の配置にその適用が限定されるものでないことが理解される。この発明は、様々な態様で実践または実施され得る他の実施形態も可能である。また、ここに採用される表現および用語は説明のためのものであり限定的に考えられるべきでないことが理解される。
【００１８】
図１から図１０は、外科、獣医科、および歯科用途での使用に適した洗浄器具２０の好ましい実施形態を示す。洗浄器具２０は、手持ち式の構造からなり、使用時に接触応答式に洗浄流体流れを調整することにより、使用者の必要に応じて一回に一滴、滴下、または連続的流れまで様々に変化するように、器具２０からの洗浄流体の流れを選択的に片手で制御できるように構成されている。該器具２０は、実質的に剛性のフレーム２４として機能するハンドル２２を含み、フレーム２４は、洗浄流体の流れを制御する変位可能なハンドグリップ２８を保持する装着部２６を含む。ハンドル２２は、ハンドグリップ２８に沿って延在するハンドレスト３０を含み、ハンドレスト３０は、器具２０を保持する使用者の手３２の一部を支持し、使用者が器具２０からの洗浄流体流れの量を選択的に制御でき、また洗浄流体が器具２０から排出されないような態様で、図６および図７に示すようなハンドグリップ２８との係合を可能とする。ハンドレスト３０は、ハンドグリップ２８に支持を与える構造的背骨または脊柱としての役割を果たすだけでなく、ハンドレスト３０は、図７に示すようにハンドル２２を把握しハンドグリップ２８を圧搾する手３２に梃の力を与える。器具２０の使用者が採用する手の握り方によっては、ハンドレスト３０は、図６及び図７に示すように、ハンドレスト３０とハンドグリップ２８との両方を同時に把握する手３２に、ハンドグリップを圧搾する梃の力を与えるように支援し得る。本発明に従って構成されるこのような器具２０は、単独型の洗浄器として使用可能であるだけでなく、以下に詳細に論じるように、ハンドル２２を把握し洗浄流体の流れを制御するのと同じ手３２で操作が制御されるアスピレーター３４を備えるように構成されるのにも特に適している。
【００１９】
器具２０は、ハンドル２２から外方に延在する棒４０の自由端または先端３８に配置される洗浄流体排出口３６を含む。所望に応じて、棒４０は、操作時に体腔などへの洗浄流体の送出を容易にするなど、使用しやすいように形成または他の態様で構成されてもよい。例えば、図１から図１０に示す棒４０は、自由端３８にまたはこれに隣接して配置され、図６または図７に示す態様で使用者の手３２により器具２０が把握されるとき、洗浄流体排出口３６が略下方になるように角度をつける曲がった部分４２を備えるように構成されてもよい。器具２０は、洗浄流体排出口３６と反対側の器具２０の端部に配置された、ハンドル２２により担持される洗浄流体取入口４４も含む。操作時には、使用者がハンドル２２を把握しハンドグリップ２８を圧搾することにより圧力が手動でハンドグリップ２８に付加されると、取入口４４に送達された洗浄流体源からの洗浄流体は、器具２０を輸送され排出口３６から放出される。好ましい実施形態において、滅菌食塩水を収容するプラスチック製点滴袋などの液体洗浄流体源が、図５の仮想線に示すように、点滴ラインの管４７により洗浄流体取入口４４の突起付き流体継手４５に接続され、管４７は、十分な高さの垂直に延在する吊具に掛けられた、５００〜１０００ミリリットルの食塩水の袋（図示せず）に接続され、使用および操作時には、液体の洗浄流体を器具２０に実質的に連続的に重力供給する。好ましい実施形態において、滅菌食塩水のプラスチック製点滴袋は、器具２０より上の高さのところに、器具２０より数フィート高くてもよいところに、袋から器具２０に連続的に重力供給されるときに十分な落差または圧力を与えるように吊具に掛けられる。好ましい実施形態において、滅菌食塩水のプラスチック製点滴袋は、腰の高さより高い高さ、例えば地面から３フィートより高いところに掛けられ、好ましくは腰の高さより少なくとも数フィート上の高さのところに掛けられる。以下により詳細に論じるように、使用時に器具２０の排出口３６より放出される洗浄流体の流速は、可変であり、ハンドグリップ２８を圧搾する際のハンドグリップ２８に対する圧力の選択的付加に依存する。
【００２０】
図４および図５を参照し、ハンドグリップ装着部２６は、ハンドレスト３０と一体的に形成され、ハンドレスト３０により担持され、ハンドル２２に取付けられるとハンドグリップ２８に係合しこれを適所に保持する、一対の間隔を空けられたハンドグリップ装着台４６および４８を含む。ハンドグリップ装着台４６および４８は、ハンドグリップ２８のハンドル２２への取付時に、ハンドグリップ２８の略相補的に構成された対抗する装着台５０および５２に係合するように構成される。所望に応じて、ハンドグリップ２８のハンドル２２への取外しおよび再取付が可能であるように係合は解除可能にされてもよい。
【００２１】
好ましい実施形態において、ハンドグリップ装着部２６の装着台４６または４８の少なくとも一方は、アンカーまたはソケットのいずれかを含み、ハンドグリップ２８の装着台５０および５２の少なくとも一方は、アンカーまたはソケットのいずれかを含む。図４および図５を参照し、ハンドグリップ装着部２６の各装着台４６および４８は、対応の外方へ延在するアンカー５４および５６を含み、ハンドグリップ２８の各装着台５０および５２は、アンカー５４および５６のうち対応するものを受容するソケット５８および６０を含む。所望に応じて、ハンドグリップ２８は、ソケット６０などのソケットの少なくとも一方が、ハンドグリップ２８から外方に延在するアンカーとなるように構成されもよく、ハンドグリップ装着部２６は、代わりにアンカー５６などのアンカーの少なくとも一方がソケットとして構成されるように構成されてもよい。
【００２２】
図４および図５に最もよく示されるように、各アンカー５４および５６は、ハンドグリップ２８がハンドル２２に取付けられるとき、ハンドグリップ２８に形成された対応のソケット５８および６０の内部に摩擦により係合する突起または隆起６６を有するニップル６２および６４である。ニップル６２および６４は、ハンドレスト３０から延在するアーム６８および７０により担持され、アーム６８および７０は、ニップル６２と６４との間に間隔をあけこれらを対向するように配向することで、間にハンドグリップ受容レセプタクル７２を規定し、ハンドル２２に取付けられると、反対側に配置されるソケット５８および６０を有するハンドグリップ２８がこのレセプタクル７２に受容される。ハンドグリップ２８をハンドル２２に取付けると、排出端側ニップル６２は、ハンドグリップ２８の排出端側ソケット５８に受容され、入口端側ニップル６４は、ハンドグリップ２８の入口端側ソケット６０に受容される。所望に応じて、各アーム６８および７０は、ハンドレスト３０の一体形成された部分または部位であってもよい。
【００２３】
ハンドレスト３０は、ハンドグリップ２８をハンドル２２に取付けるとハンドグリップ２８と流体連通する洗浄流体導管７８の、間隔を空けられた部分７４および７６を担持する。図３および図４に最もよく示すように、対応する洗浄流体導管部７４および７６は、アーム６８および７０のそれぞれ一方から延在する。ハンドグリップ２８の上流の洗浄流体導管部７４は、洗浄流体取入口４４から隣接するハンドグリップ装着用アンカー５６まで延在する流体輸送路８０を含み、輸送路８０はハンドグリップ２８内の洗浄流体貯留部８２と流体連通する。ハンドグリップ２８の下流の導管部７６は、隣接するハンドグリップ装着用アンカー５４から棒４０の先端３８の排出口８６まで延在する流体輸送路８４を含むことより、操作時に洗浄流体を貯留部８２から排出口３６へ輸送することができる。
【００２４】
それぞれ対応するハンドグリップアンカー５４および５６を形成するニップル６２および６４は、ハンドル２２にハンドグリップ２８を装着するだけでなく、ハンドグリップ２８との間で洗浄流体を輸送するのを可能にする流体継手６３および６５を提供する。そのような流体継手ハンドグリップ装着構成８８は、洗浄流体路８０および８４が延在する流体継手６３および６５の装着用アンカーニップル６２および６４を用いてハンドグリップ２８をハンドル２２に装着する簡素な構造であり、またこれらは洗浄流体をハンドグリップ２８との間で輸送するという点で有利である。
【００２５】
操作時に、上流の流路８０は、例えば滅菌食塩水などの滅菌溶液であってもよい液源などの洗浄流体源からハンドグリップ２８内の貯留部８２へ洗浄流体９０を輸送し、貯留部８２に流体を充填する。好ましくは手動で圧搾することによりハンドグリップ２８を変位させると、図８〜図１０に示すように、洗浄流体は貯留部８２から下流の流路８４を通って排出口８６の外へ流出する。
【００２６】
洗浄流体貯留部８２は、側壁９４を有する圧縮可能な洗浄流体保持室９２により設けられ、洗浄流体保持室９２は、管状のエンドレス構成であってもよく、ハンドグリップ２８に付加された圧搾力に応じて少なくとも部分的に可撓性である。洗浄流体保持室９２の側壁９４は、一方の端部の入口９５と反対側の端部の出口９６との間に延在し、入口９５および出口９６は、それぞれ装着ソケット５８および６０のうち対応するものを含むかまたは他の態様で設けるように形成される。前述のとおり、ソケット５８は圧縮可能な室９２の出口に対応し、ソケット６０は室９２の入口に対応する。
【００２７】
好ましい実施形態において、圧縮可能な室９２は筒状であり、楕円形または長円構造であっても細長くてもよく、エラストマー構造であってもよい圧搾バルブ９８により設けられる。ある好ましい実施形態において、圧搾バルブ９８は、例えばシリコーンゴムなどのゴムなどのエラストマー材料からなり、その入口ソケット６０は、その出口ソケット５８の反対側にあり、例えば略同軸上など好ましくはこれと略整列する。図１〜図１０に示す器具２０の好ましい実施形態において、ハンドグリップ２８は圧搾バルブ９８により設けられるが、ハンドグリップ２８は、圧搾バルブ９８の他に、使用および操作時に圧搾バルブ９８と例えば係合または他の態様で接触するなどの協働可能である要素を含む、図示しない他の要素を含み得ることが認められる。
【００２８】
図４〜図１０を参照し、変位可能なハンドグリップ２８は、流体継手の一方、好ましくは出口端側の継手６３と協働して洗浄流体流れ調整制御弁構成１００を形成する。洗浄流体流れ調整制御弁構成１００は、ハンドグリップ２８が変位されると洗浄流体流れが洗浄貯留部から流れるのを可能にするだけでなく、ハンドグリップ２８の変位の速度および大きさのうち一つ以上および／またはハンドグリップ２８に付加されハンドグリップ２８を変位させる力の速度および大きさのうち一つ以上に応じて、器具２０から排出される流速を選択的に制御可能とする。好ましい実施形態において、本発明に従って構成されるこのような流れ調整制御弁構成１００により、器具２０から排出される液体の洗浄流体の流速は、器具２０の使用および操作時に手３２がハンドグリップ２８を圧搾することにより手動で付加される圧搾圧力の大小の量に応じて、比較的正確に制御し変えることができ、器具２０から排出される流速は、１分あたり１立方センチメートルもの少量から１分あたり３６０立方センチメートルもの大きな流れまで変化させることができる。また、本発明に従って構成されるこのような流れ調整構成１００により、器具２０から排出される液体の洗浄流体の流速は、手３２がハンドグリップ２８を圧搾することにより手動で付加される圧搾圧力の変化率に応じて制御し変えることができる。本発明に従って構成されるこのような洗浄器具２０は手持ち式で手で制御されるので、該器具２０は、必要な時および場合に応じて一度にほんの１、２滴の洗浄流体を投与することが可能であり、短い噴出や急増においても流れを増加させることで十分な洗浄流体流れを強制的に排出させて、外傷を誘発するような外科的手段に頼ることなく、凝固した血液を組織から解き放つことができる。本発明に従って構成されるこのような洗浄器具は、多くの場合流れを中断させることなく使用時に滅菌食塩水の袋を素早くかつ容易に交換可能であるので、有利には、実質的に連続的な使用が可能である。
【００２９】
流体継手６３は、洗浄流体路８４と流体連通しており、細長く、管状の開放端弁体１０２を有し、この弁体１０２は、可撓性の圧縮可能な室の側壁９４の長手方向に延在する内面１０６の弁座１０４に凭れ、図５に示すように凭れているときは閉じる、通常は閉じた弁１０８を形成する。圧搾圧力がハンドグリップ２８に付加されていないときや、室側壁９４の弁座１０４を弁体１０２から離れるように変形またはその他の態様で変位させるには不十分な最低量の圧搾圧力が付加されるときは、弁１０８は凭れたままである。ハンドグリップ２８の圧搾の際などに、弁座１０４から離れた室側壁９４の別の部分が変位されると、図１０に示すように、弁座１０４は、流体継手６３の開放端弁体１０２から離れて弁体１０２を外し、これにより洗浄流体は、圧縮可能な室９２から下流の流路８４を通り排出口３６の外に流れることができる。図５および図１０に最もよく示すように、開放端弁体１０２は管１１２を有し、その開放端は、閉じたときは座１０４に凭れ、圧縮可能な室９２を圧搾して開いたときは座１０４から外れる。緩めたときや、圧搾圧力が十分に低減したとき、圧縮可能な室９２は実質的にその初期形状に戻り、これにより弁座１０４は開放端弁体１０２に再び凭れ、洗浄流体が器具２０から排出されるのを防ぐ。
【００３０】
圧縮可能な室９２から排出され、外れた状態の開放端弁体１０２を通る洗浄流体の流速は、弁座１０４からの間隔が離れるに従い増加し、使用時に使用者の手３２がハンドグリップ２８を圧搾することにより圧縮可能な室の側壁９４に付加される圧搾圧力が増加するに伴い、弁座１０４との間隔は増加するので、このような弁１０８は、流れを調整する構造となっている。また、圧搾圧力がハンドグリップ２８に付加される速度が増加するにつれて、器具２０から排出される洗浄流体の流速が増加するので、流れ調整弁１０８は、ハンドグリップ２８への圧搾圧力の付加速度に応じて流れを調整する。有利には、この特徴により、器具２０の使用者は、ハンドグリップ２８を十分な力で急速に手動で圧搾することにより、器具２０から排出される洗浄流体の流れを急増させることができる。
【００３１】
開放端弁体１０２は、流体継手６３の管状部１１０（図４）により形成され、管状部１１０は、弁座１０４を規定する室側壁９４の長手方向に延在する部分に凭れるように弁体１０２を配置するように配向され、弁１０８が閉じると弁体１０２は弁座１０４に凭れる。図４、図５および図１０に示す好ましい実施形態において、管状部１１０は、その自由端が室側壁９４の座１０４の方へ略径方向外方に向くように開放端弁体１０２を配向する、略Ｌ字型であってもよい湾曲部１１４を有する、角度のついたまたは曲がった管１１２である。図５および図１０に示す圧縮可能な室９２の好ましい実施形態において、弁座１０４は、例えば成形により室側壁９４の内面と一体的に形成された、図１０から最もよく示される丸みを帯びた凹みなどの、窪んだまたは凹状の構成からなってもよい。所望に応じて、弁座１０４は、座部１０４の片側に、図５および図１０に示す室側壁の内面１０６の部分など、室側壁９４の内面のうち実質的に滑らかな部分から形成されてもよい。所望に応じて、開放端弁体１０２は、弁１０８を閉じたときに凭れやすいように、環状の構造であってもよい封止１１６（図４に仮想線で示す）を含むか担持してもよい。そのような封止１１６を用いる場合、この封止は、環状で、例えばシリコーンゴムなどのゴムなどのエラストマー材料から形成されてもよく、図４に仮想線で示すように、弁体１０２の自由端またはこれに隣接して取付けられる。
【００３２】
前述のとおり、本発明に従って構成される器具２０は、一体構造のアスピレーター３４を含むように構成されるのに特に適している。アスピレーター３４は、ハンドレスト３０および棒４０により一体的に形成される吸引導管１２０を有する器具２０のハンドル２２の一部と一体で形成される。図５に最もよく示すように、吸引導管１２０は、真空または吸引ライン１２４（図５に仮想線で示す）に接続される突起付き吸引継手１２２を有し、ライン１２４は吸引または真空源に接続され、操作時に、吸引または真空源は、吸引導管１２０に一体的に形成された細長い流体輸送吸引路１２６を介して吸引を伝える。吸引路１２６は、洗浄流体排出口８６に隣接して位置する棒４０の先端３８に配置される吸引取入口１２８まで延在する。
【００３３】
器具２０がアスピレーター３４を備えるように構成される場合、ハンドル２２は好ましくは、例えば吸引制御弁などの吸引流れ調節弁１３０を含み、その操作は、ハンドル２２を把握し洗浄流体の流れを制御するのに用いるのと同じ手３２で制御されるので、有利には、洗浄および吸引の両方を片手で操作し制御する器具２０が得られる。図１および図２に示すように、吸引流れ調節弁１３０は、複数の吸引ベント１３２、１３４、１３６および１３８を含み得り、これらのベントは、開放時に環境または周囲と連通し、所望の吸引量に応じて開放されたままにされるベント１３２、１３４、１３６および１３８の数に依存して、器具２０の先端３８から吸引の一部または全部を選択的にそらす。先端３８において吸引が所望されない場合、吸引ベント１３２、１３４、１３６および１３８のすべてが開放されるかあるいは遮断されない。先端３８において所望される吸引量に応じて、ハンドル２２を把握する手３２の一本以上の指を用いて吸引ベント１３２、１３４、１３６および１３８の一つ以上を閉じることによりこれらを閉鎖するか封止する。先端３８において最大の吸引が所望される場合、ハンドル２２を把握し洗浄流体流れを制御するのに用いるのと同じ手３２ですべての吸引ベント１３２、１３４、１３６および１３８を同時に手動で閉鎖するなどして、吸引流れ調節弁１３０を閉じることができる。
【００３４】
所望に応じて、図５に示すように、吸引ベント１３２、１３４、１３６および１３８のすべてを閉鎖または封止し、変位可能、例えば摺動可能であるか、取外し可能であってもよい、吸引ベントまたは弁作動装置１４０を設けてもよい。所望に応じて、吸引ベントまたは弁作動装置１４０は、例えばシリコーンゴムなどのエラストマー材料からなるプラグなどの、取外し可能なプラグであってもよく、先端３８において一定の吸引が所望される場合や、器具２０を吸引源に接続しない場合は、所定位置に留まり得る。吸引流れ調節弁１３０を使用することが所望される場合、例えばプラグなどの吸引制御弁作動装置１４０は取外すことができる。所望に応じて、吸引制御弁作動装置１４０は滑動弁であっても、異なる構成または構造を有してもよい。
【００３５】
ハンドル２２は、好ましくは、アクリロニトリル‐ブタジエン‐スチレン（ＡＢＳ）、酢酸セルロース、酢酸酪酸セルロース、ポリスチレン、ポリカーボネート、ポリスチレン、ポリプロピレン、または他の好適なプラスチックなどの、プラスチックから成形された、ワンピースで単体の実質的に同質の構造である。プラスチックからなるそのようなハンドル２２は、有利には、軽量で、実質的に剛性で使用時に組織透過を可能にし、耐久性があり、経済的であり、使い捨て可能な構造であってもよい。所望に応じて、ハンドル２は、器具２０の再使用が所望される場合などには、外科および／または歯科用途に好適なステンレス鋼などの金属からなってもよい。
【００３６】
ハンドル２２は、ハンドレスト３０と一体で形成され、ハンドレスト３０は、一体的に形成された吸引導管１２０を含み、導管１２０内には吸引路１２６が、棒４０内から先端３８までを含む器具２０の実質的な長さにわたって延在する。図面に示すように、吸引導管１２０および洗浄流体導管７４は棒４０において集束する。また、ハンドル２２はハンドグリップ受容レセプタクル７２を含むように一体的に形成され、ハンドグリップ受容レセプタクル７２は、ハンドル２２と一体で形成され、組立時にハンドル２２に取付られるハンドグリップ２８の圧縮可能な室９２を流体密的に捕える一対の流体継手６３および６５を有する。さらに、ハンドル２２は、洗浄流体導管７８を含むように一体的に形成され、洗浄流体導管７８は、棒４０の先端３８まで器具２０の実質的長さにわたって延在する、一体形成された吸引導管１２０に沿って延在する。図１〜図１０に示すように、洗浄流体導管７８および吸引導管１２０は、棒４０に沿って、また導管７８および１２０がそれぞれ洗浄ライン４７および吸引ライン１２４（図５）に接続する場合は器具２０の反対側の端部に沿うことを含む、器具２０の長さの少なくとも一部に沿って互いに実質的に平行に延在し得る。図面に示す好ましい器具の実施形態において、吸引導管１２０および洗浄流体導管７８は、吸引導管１２０が洗浄流体導管７８の上に重なる上下構成に配置される。また図面に示すように、吸引導管１２０のうちハンドル２２のハンドレスト３０から形成される部分は、器具２０が図１、図６および図７に示す操作位置に略配向されるとき、圧縮可能な室９２に沿って上に重なる。
【００３７】
一体形成された洗浄流体導管７８は、圧縮可能な室９２の下流に配置される洗浄流体導管部７６を含み、洗浄流体導管部７６は、圧縮可能な室９２をハンドル２２に装着するのに用いるだけでなく、流れ調整弁構成１００を形成するにあたって圧縮可能な室９２と協働する一体形成された流体継手６３を含む。一体形成された流体継手６３は、下流の導管部７６と流体連通し、室９２をハンドル２２に装着すると圧縮可能な室９２の内面１０６の一部に凭れ通常は閉じている流れ調整弁１０８を規定する、一体形成された開放端弁体１０２を含む。
【００３８】
また、洗浄流体導管７８は、圧縮可能な室９２の上流に配置された洗浄流体導管部７４を含み、洗浄流体導管部７４は、流体継手６３と共に圧縮可能な室９２をハンドル２２に装着するのに用いる一体形成された流体継手６５を含む。洗浄流体導管部７４はまた、流体継手６３の反対側に一体形成された洗浄ライン継手４４を含む。
【００３９】
図１〜図１０に示す器具２０の好ましい実施形態において、圧縮可能な室９２は、楕円または長円形の中空の圧搾バルブ９８であり、バルブ９８の両端にソケット５８および６０を含み、ソケット５８および６０は、バルブ９８をハンドル２２に装着するのに用いる対応する流体継手６３および６５を流体密的に受容する一方で、これらの間を流体密的に摩擦係合させる。組立時には、ソケット５８を有する圧搾バルブ９８の端部は、開放端弁体１０２がソケット５８に入るようにバルブ９８を操作することにより、鉤型の流体継手６３の上に入れ子状に嵌められる。バルブ９８を操作して、弁体１０２がバルブ９８の側壁９４に凭れて流れ調整弁構成１００を形成するまで、バルブ９８の内部において開放端弁体１０２が流体継手６３の一部である管１１２の湾曲部１１４と共にバルブ９８内の洗浄流体貯留部８２に押込まれるようにする。弁体１０２がバルブ９８の側壁９４に凭れると、流体継手６３のニップル６２部の突起６６がバルブ９８のソケット５８に受容され、バルブ９８と流体密的に摩擦係合する。バルブ９８をさらに操作して、ニップル６４の突起６６がバルブ９８と摩擦係合してこれらの間が流体密的に摩擦係合するまで、他方の流体継手６５の反対側のニップル６４がバルブ９８の他方端にある反対側のソケット６０に挿入されるようにする。バルブ９８がハンドル２２に装着される際、バルブ側壁９４の一部１０３は、図５に示す実質的に剛性のハンドレスト３０の一部に当接するか載るので、ハンドレスト３０はバルブ９８を支持する実質的に剛性の脊柱または背骨として機能し圧搾時にバルブ９８が圧縮されやすくする。好ましい実施形態において、ハンドル２２の各流体継手６３および６５とバルブ９８の対応のソケット５８および６０との間に設けられる係合は、スナップ式の係合であって、バルブ９８のハンドル２２への取付を迅速かつ容易にするだけでなく、バルブ取外しが所望される場合にバルブ９８のハンドル２２からの取外しを迅速かつ容易にする。
【００４０】
使用および操作時には、好ましくは床より十分高いところに掛けられた食塩水の袋である液体の洗浄流体源に接続されるラインに器具２２の洗浄流体継手４５を取付け、使用者の手３２がハンドル２２を把握しバルブ９８を圧搾することによりバルブ９８が圧搾されると、圧搾バルブ９８内の洗浄流体貯留部８２に供給された洗浄流体流れが実質的に連続することにより、貯留部８２から排出される洗浄流体が実質的に連続して補充されるようにする。吸引ライン継手１２２は、真空ポンプなどの真空源に接続されるラインに取付ける。
【００４１】
特に図６および図７を参照し、器具２０のハンドル２２の構造は、使用者が片手３２で器具２０のハンドル２２を把握し、片手３２を用いて器具２０の洗浄流体および吸引機能を実質的に同時に制御できるようにするという点で有利である。以下により詳細に記載するように、器具２０のハンドル２２の構造は、使用者が複数種類の握り方で片手３２でハンドル２２を把握できるようにするという点でも有利である。
【００４２】
例えば、図６および図７に示すように、使用者の手３２がナイフを持つようにまたはフォアハンドの握り方１４４でハンドル２２を把握している場合、手３２の掌１４５の一部がハンドレスト３０の一部の上に重なり、手３２の親指１４６がバルブ側壁９４の片側１４８に載り、複数の指１５０、１５２、１５４および１５５は、人差し指１５０、薬指１５２、中指１５４、または小指１５５などのこれらの指のうち少なくとも一本が反対側１５６に載るように位置決めされることで、圧搾バルブ９８の弁１０８のいずれかの側において側壁９４のうち片側または両側１４８および１５６に対して手３２で圧搾圧力を付加して、開放端弁体１０２を圧搾バルブ９８の側壁９４の内面１０６から外すことで弁１０８を開き、貯留部８２に集められた洗浄流体がバルブ９８から流出する。好ましい操作方法において、バルブ９８の両側１４８および１５６に圧搾圧力を付加してハンドグリップ２２を変位させると、図７から図１０に示すようにバルブ９８の弁座１０４が弁体１００から外方に離れるように変位し、弁１０８を開き、貯留部８２内の洗浄流体がバルブ９８から流出し器具２０から排出される。緩めると、バルブ９８の弁座１０４は、弁体１００に凭れる初期移置に戻り、弁１０８を閉じる。
【００４３】
特に図７から図１０を参照し、圧搾圧力をバルブ９８の片側または両側１４８および１５６に付加すると、弁座１０４の反対側に位置するバルブ側壁９４の外側部分１６０’は、弁体１０２から離れるように、図７に仮想線で示す位置１６２’から図７に実線で示す位置１６２まで外方に変位する。例えば、ハンドル２２を把握する手３２の親指および一本以上の指で挟むと、弁体１０２の上に重なるバルブ側壁９４の外側部分１６０は、弁体１０２から離れるように外方に変位して弁１０８を開き、洗浄流体が器具２０の先端３８から排出される。例えば、図６に示すように、親指１４６と人差し指１５０、中指１５２および／または薬指１５４とでバルブ９８を挟むと、洗浄流体流れの比較的正確な制御または調節が可能となる。というのも、このようにバルブ９８を手で挟むことにより圧搾圧力を正確に調節または制御することができるからである。
【００４４】
有利には、必要に応じて弁１０８のいずれかの側においてバルブ９８の片側または両側１４８および１５６に指先の圧力を付加すると、弁体１０２から側壁９４をごく最小限外すように洗浄流体を調整して器具２０の先端３８から流出させ、ほんの１、２滴が器具２０の先端３８から排出されるように流れを制御することができる。どれくらい洗浄流体が器具２０の先端３８から排出されるか使用者が見ることによって、バルブ９８を圧搾するために器具２０のハンドル２２を把握する手３２を用いて、どれくらい大きいまたは小さい圧搾圧力をバルブ９８に付加するかを調節する、視覚的フィードバックを採用することができる。より大きな量の流れが所望される場合、バルブ９８をより強く急速に圧搾すると、バルブ側壁９４が弁体１０２からさらに遠くまで外れてより大きく弁１０８を開くだけでなく、圧搾圧力または力をより大きく付加することで、圧縮可能バルブ９８は、より多くの流体を弁体１０２から下流の導管部７６へさらに器具２０の先端３８から外に押出す。
【００４５】
図１１および図１２は、鉛筆の握り方１６６で片手３２がハンドル２２を把握する、器具２０の手持ち式の使用および操作を例示し、この場合、手３２はハンドグリップ２８に略沿って配置され、親指１４６がバルブ９８の底部１６０および片側１４８に沿って延在し、図１１に示すようにバルブ９８の側部１４８に圧搾圧力を付加して器具２０から洗浄流体を排出させることができる。一本以上の指１５０、１５２、１５４、または１５５をハンドレスト３０に被せるか巻きつけるかし、一本以上のその他の指１５０、１５２、１５４、または１５５をバルブ９８の反対側１５６に沿って配置すると、バルブ９８の同じ側１５６へ圧搾圧力を付加することにより洗浄流体を器具２０から排出させることができる。
【００４６】
吸引を行うことが所望される場合、手３２でハンドル２２を把握して吸引流れ調節弁１３０を操作しながら、一本以上の指１５０、１５２、１５４、または１５５および／または親指１４６を動かすと、棒４０の端部３８に吸引をそらすことができる。アスピレーター３４を操作するある方法において、少なくとも一本の指１５０、１５２、１５４、または１５５および／または親指１４６を動かしながら、一本以上の残りの指１４６、１５０、１５２、１５４、または１５５をハンドル２２に係合させて器具２０の先端３８で吸引が行われるように吸引流れ調節弁１３０を作動もしくは他の態様で操作してもよい。有利には、図１１および図１２に示すように、指１５０、１５２、１５４、または１５５などの指一本のみを動かして吸引流れ調節弁１３０を作動させつつ洗浄流体流れを制御し続けることもできる。例えば、図１１および図１２に示すように、必要に応じて吸引流れ調節弁１３０の好ましい実施形態であるベント１３２、１３４、１３６および／または１３８のうち一つ以上に一本の指１５０のみを載せてベント１３２、１３４、１３６および／または１３８の一つ以上を閉鎖することで、器具２０の先端３８に付加される吸引量を調節または制御することができる。
【００４７】
有利には、本発明に従って構成される器具２０は、洗浄流体流れおよび吸引の両方の片手での制御および操作を可能にするだけでなく、これら両方を実質的に同時に制御することを可能にする。例えば、所望であれば、手３２でハンドル２２を把握しながら指１４６、１５０、１５２、１５４、および１５５を操作すると、ハンドグリップ２８を圧搾して室９２を圧縮することで洗浄流体９０が棒４０の先端３９における洗浄流体排出口８６から排出されるだけでなく、洗浄流体が排出されている間も実質的に同時に棒４０の先端３８における吸引取入口１２８に吸引が行われる。
【００４８】
図１３および図１４は、ゴルフの握り方１６８で片手３２がハンドル２２を把握する、器具２０の手持ち式の使用および操作を例示し、この場合、手３２の掌１４５はハンドレスト３０の少なくとも一部に巻きつけるか上に重ね、親指１４６はハンドレスト３０の隣接部分に沿って配置することで、ハンドル２２を把握しながら吸引流れ調節弁１３０を親指で操作することが可能になる。手３２の掌１４５の一部はバルブ９８の片側１５６に沿って延在させ、一本以上の指１５０、１５２、１５４または１５５はバルブ９８の下と周りに巻き付けることで、一本以上の指１５０、１５２、１５４、または１５５の先端がバルブ９８の反対側１４８と係合し、バルブ９８が掌１４５と一本以上の指１５０、１５２、１５４、または１５５との間で圧搾され、器具２０から洗浄流体を制御可能に排出することができる。
【００４９】
バルブ９８の洗浄流体貯留部８２が、常時開いている流体継手６５を介して洗浄流体源と連続的に流体連通する結果として、バルブ９８から排出されるのとほぼ同じ速さで洗浄流体が洗浄流体貯留部８２に補充される。器具２０より高いところで吊具に掛けられた滅菌食塩水の点滴袋から洗浄流体源が重力供給される場合、洗浄流体は重力の力により袋からバルブ９８に再び流れて貯留部８２を補充する。
【００５０】
以上の説明および図面は本発明の一つ以上の好ましい実施形態を詳細に記載し例示するものであるが、本発明が関する技術の当業者であれば、この開示が発明の精神および範囲を逸脱することなく多くの変形および構造ならびに大きく異なる実施形態および適用を示唆することが理解される。したがって、本発明は添付の請求の範囲によってのみ限定されることが意図される。
【図１】
2013536050.tif 000003
【図２】
2013536050.tif 000004
【図３】
2013536050.tif 000005
【図４】
2013536050.tif 000006
【図５】
2013536050.tif 000007
【図６】
2013536050.tif 000008
【図７】
2013536050.tif 000009
【図８】
2013536050.tif 000010
【図９】
2013536050.tif 000011
【図１０】
2013536050.tif 000012
【図１１】
2013536050.tif 000013
【図１２】
2013536050.tif 000014
【図１３】
2013536050.tif 000015
【図１４】
2013536050.tif 000016
【国際調査報告】
2013536050.tif 000017
2013536050.tif 000018